(57)【要約】      （修正有）【課題】赤ちゃん又は幼児用おしゃぶりを有するマスクを提供する。【解決手段】内層１１と外層１２の布からなり、両側に掛止リング１３が設けられ、内層の中央に取付孔１１１又はスリットが形成され、おしゃぶり２０は、プレート状のストッパー２１を有し、中央に吸引部２２が一体形成され、内層と外層の間に縫い目によってストッパーが固設され、吸引部が内層の取付孔又はスリットを通じて外側へ突出されることを特徴とする。【選択図】図１
0003120578.tif 000002
【実用新案登録請求の範囲】
【請求項１】
マスクの内側におしゃぶりが設けられることを特徴とするおしゃぶりを有するマスク。
【請求項２】
前記マスクは、内層と外層の布からなり、両側に掛止リングが設けられ、内層の中央に取付孔又はスリットが形成され、前記おしゃぶりは、プレート状のストッパーを有し、中央に吸引部が一体形成され、該内層と外層の間に縫い目によって該ストッパーが固設され、吸引部が内層の取付孔又はスリットを通じて外側へ突出されることを特徴とする請求項１に記載のおしゃぶりを有するマスク。
【請求項３】
前記前記マスクは、内層と外層の布からなり、両側に掛止リングが設けられ、内層の中央に複数のボタンが設けられ、前記おしゃぶりは、プレート状のストッパーを有し、中央に吸引部が一体形成され、該ストッパーに内層のボタンと結合する複数のボタンが設けられることにより、おしゃぶりを内層に設けることを特徴とする請求項１に記載のおしゃぶりを有するマスク。
【考案の詳細な説明】
【技術分野】
【０００１】
本考案は、特に赤ちゃん又は幼児用おしゃぶりを有するマスクに関するものである。
【背景技術】
【０００２】
一般のマスクは、使用者の口部分を覆うことにより、保温効果を有すると共に、細菌侵入問題を防止できる。従来のマスクは、口部分を覆う可能な本体を有し、本体の両側に耳に掛けるため掛止リングが設けられる。
【考案の開示】
【考案が解決しようとする課題】
【０００３】
しかしながら、前記従来のマスクは、おしゃぶりを使用する赤ちゃん又は幼児に対して使用する場合、おしゃぶりを吸い続けることができなくなるから、赤ちゃん又は幼児に拒否される問題を有する。
【０００４】
そこで、案出されたのが本考案であって、赤ちゃん又は幼児用おしゃぶりを有するマスクを提供することを目的としている。
【課題を解決するための手段】
【０００５】
本願の請求項１の考案は、マスクの内側におしゃぶりが設けられることを特徴とするおしゃぶりを有するマスク、を提供する。
【０００６】
本願の請求項２の考案は、前記マスクは、内層と外層の布からなり、両側に掛止リングが設けられ、内層の中央に取付孔又はスリットが形成され、前記おしゃぶりは、プレート状のストッパーを有し、中央に吸引部が一体形成され、該内層と外層の間に縫い目によって該ストッパーが固設され、吸引部が内層の取付孔又はスリットを通じて外側へ突出されることを特徴とする請求項１に記載のおしゃぶりを有するマスク、を提供する。
【０００７】
本願の請求項３の考案は、前記前記マスクは、内層と外層の布からなり、両側に掛止リングが設けられ、内層の中央に複数のボタンが設けられ、前記おしゃぶりは、プレート状のストッパーを有し、中央に吸引部が一体形成され、該ストッパーに内層のボタンと結合する複数のボタンが設けられることにより、おしゃぶりを内層に設けることを特徴とする請求項１に記載のおしゃぶりを有するマスク、を提供する。
【考案の効果】
【０００８】
本考案は上記の課題を解決するものであり、内層と外層の布からなるマスクの両側に掛止リングが設けられ、内層の中央におしゃぶりが設けられることにより、赤ちゃん又は幼児がマスクを使用する時でも、おしゃぶりを吸引することにより、心を慰めると共に、保温や細菌侵入問題を防止することができる。
【考案を実施するための最良の形態】
【０００９】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１０】
図１は本考案に係るおしゃぶりを有するマスクの第１実施例を示す斜視図であり、図２は本考案に係るおしゃぶりを有するマスクの第１実施例を示す断面図であり、図３は本考案に係るおしゃぶりを有するマスクの第２実施例を示す斜視図であり、図４は本考案に係るおしゃぶりを有するマスクの第３実施例を示す分解斜視図であり、図５は本考案に係るおしゃぶりを有するマスクの第３実施例を示す斜視図である。
【００１１】
図１及び図２に示すように、本考案に係るおしゃぶりを有するマスクの第１実施例は、マスクの内側におしゃぶり（２０）が設けられる。
【００１２】
前記マスク（１０）は、内層（１１）と外層（１２）の布からなり、両側に掛止リング（１３）が設けられ、内層（１１）の中央に取付孔（１１１）が形成され、前記おしゃぶり（２０）は、プレート状のストッパー（２１）を有し、中央に吸引部（２２）が一体形成され、該内層（１１）と外層（１２）の間に縫い目（１４）によって該ストッパー（２１）が固設され、吸引部（２２）が内層（１１）の取付孔（１１１）を通じて外側へ突出される。
【００１３】
図３に示すように、本考案に係るおしゃぶりを有するマスクの第２実施例は、前記第１実施例と殆ど等しく、マスク（１０）の内側におしゃぶり（２０）が設けられ、異なるのは、内層（１１）の中央に吸引部（２２）を露出させるためスリット（１１２）が形成される。
【００１４】
又、図４及び図５に示すように、本考案に係るおしゃぶりを有するマスクの第３実施例は、前記第１実施例と殆ど等しく、異なるのは、前記内層（１１）の中央に複数のボタン（１５）が設けられ、前記おしゃぶり（２０）のストッパー（２１）に内層（１１）のボタン（１５）と結合する複数のボタン（２３）が設けられることにより、おしゃぶり（２０）を内層（１１）に設ける。
【産業上の利用可能性】
【００１５】
本考案は上記の構成を有するので、内層と外層の布からなるマスクの両側に掛止リングが設けられ、内層の中央におしゃぶりが設けられることにより、赤ちゃん又は幼児がマスクを使用する時でも、おしゃぶりを吸引することにより、心を慰めると共に、保温や細菌侵入問題を防止することができる。
【図面の簡単な説明】
【００１６】
【図１】本考案に係るおしゃぶりを有するマスクの第１実施例を示す斜視図である。
【図２】本考案に係るおしゃぶりを有するマスクの第１実施例を示す断面図である。
【図３】本考案に係るおしゃぶりを有するマスクの第２実施例を示す斜視図である。
【図４】本考案に係るおしゃぶりを有するマスクの第３実施例を示す分解斜視図である。
【図５】本考案に係るおしゃぶりを有するマスクの第３実施例を示す斜視図である。
【符号の説明】
【００１７】
１０        マスク
１１        内層
１１１      取付孔
１１２      スリット
１２        外層
１３        掛止リング
１４        縫い目
１５        ボタン
２０        おしゃぶり
２１        ストッパー
２２        吸引部
２３        ボタン
【図１】
0003120578.tif 000003
【図２】
0003120578.tif 000004
【図３】
0003120578.tif 000005
【図４】
0003120578.tif 000006
【図５】
0003120578.tif 000007